【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
複数種類の演出手段を少なくとも制御可能な演出制御手段を
備えた遊技台であって、
前記演出制御手段は、ＣＰＵを少なくとも含んで構成されたものであり、
前記演出制御手段は、期間情報記憶手段を少なくとも含んで構成されたものであり、
前記演出制御手段は、制御情報記憶手段を少なくとも含んで構成されたものであり、
前記期間情報記憶手段は、期間情報が少なくとも記憶されたものであり、
前記制御情報記憶手段は、制御情報が少なくとも記憶されたものであり、
前記期間情報は、前記複数種類の演出手段のそれぞれを制御する期間に関する情報を少なくとも含むものであり、
前記期間情報は、前記複数種類の演出手段で共通の形式をしたものであり、
前記制御情報は、前記複数種類の演出手段のそれぞれを制御する内容に関する情報を少なくとも含むものであり、
前記制御情報は、前記複数種類の演出手段のそれぞれに少なくとも対応する形式をしたものであり、
前記複数種類の演出手段のうちの少なくとも一つの前記演出手段は、報知手段であり、
前記期間情報記憶手段は、前記報知手段に対応する期間情報セット（以下、第一の期間情報セットという。）が少なくとも記憶されたものであり、
前記第一の期間情報セットは、複数の前記期間情報（以下、複数の期間情報という。）を少なくとも含んで構成されたものであり、
前記複数の期間情報のうちの少なくとも一つの前記期間情報は、第一の期間情報であり、
前記複数の期間情報のうちの少なくとも一つの前記期間情報は、第二の期間情報であり、
前記演出制御手段は、第一の制御、第二の制御の順に少なくとも実行可能なものであり、
前記第一の制御は、前記第一の期間情報を参照して前記報知手段を少なくとも制御可能なものであり、
前記第二の制御は、前記第二の期間情報を参照して前記報知手段を少なくとも制御可能なものであり、
前記第二の期間情報は、前記第一の期間情報とは異なるものである、
ことを特徴とする遊技台。
【請求項２】
請求項１に記載の遊技台であって、
前記期間情報記憶手段は、一の種類の前記演出手段に対応する期間情報セット（以下、第二の期間情報セットという。）が少なくとも記憶されたものであり、
前記第二の期間情報セットは、前記第一の期間情報セットとは異なるものである、
ことを特徴とする遊技台。
【請求項３】
請求項２に記載の遊技台であって、
前記第二の期間情報セットは、前記報知手段に対応するものである、
ことを特徴とする遊技台。
【請求項４】
請求項１〜３のいずれかに記載の遊技台であって、
前記第一の期間情報と前記第二の期間情報は、前記期間情報記憶手段において連続する記憶領域に記憶されている、
ことを特徴とする遊技台。
【請求項５】
請求項１〜４のいずれかに記載の遊技台であって、
前記報知手段は、ランプであり、
前記第一の期間情報は、前記ランプを制御する期間に関する情報を少なくとも含むものであり、
前記第二の期間情報は、前記ランプを制御する期間に関する情報を少なくとも含むものである、
ことを特徴とする遊技台。
【請求項６】
請求項１〜４のいずれかに記載の遊技台であって、
前記報知手段は、スピーカであり、
前記第一の期間情報は、前記スピーカを制御する期間に関する情報を少なくとも含むものであり、
前記第二の期間情報は、前記スピーカを制御する期間に関する情報を少なくとも含むものである、
ことを特徴とする遊技台。
【手続補正２】
【補正対象書類名】明細書
【補正対象項目名】０００８
【補正方法】変更
【補正の内容】
【０００８】
本発明に係る遊技台は、複数種類の演出手段を少なくとも制御可能な演出制御手段を備えた遊技台であって、前記演出制御手段は、ＣＰＵを少なくとも含んで構成されたものであり、前記演出制御手段は、期間情報記憶手段を少なくとも含んで構成されたものであり、前記演出制御手段は、制御情報記憶手段を少なくとも含んで構成されたものであり、前記期間情報記憶手段は、期間情報が少なくとも記憶されたものであり、前記制御情報記憶手段は、制御情報が少なくとも記憶されたものであり、前記期間情報は、前記複数種類の演出手段のそれぞれを制御する期間に関する情報を少なくとも含むものであり、前記期間情報は、前記複数種類の演出手段で共通の形式をしたものであり、前記制御情報は、前記複数種類の演出手段のそれぞれを制御する内容に関する情報を少なくとも含むものであり、前記制御情報は、前記複数種類の演出手段のそれぞれに少なくとも対応する形式をしたものであり、前記複数種類の演出手段のうちの少なくとも一つの前記演出手段は、報知手段であり、前記期間情報記憶手段は、前記報知手段に対応する期間情報セット（以下、第一の期間情報セットという。）が少なくとも記憶されたものであり、前記第一の期間情報セットは、複数の前記期間情報（以下、複数の期間情報という。）を少なくとも含んで構成されたものであり、前記複数の期間情報のうちの少なくとも一つの前記期間情報は、第一の期間情報であり、前記複数の期間情報のうちの少なくとも一つの前記期間情報は、第二の期間情報であり、前記演出制御手段は、第一の制御、第二の制御の順に少なくとも実行可能なものであり、前記第一の制御は、前記第一の期間情報を参照して前記報知手段を少なくとも制御可能なものであり、前記第二の制御は、前記第二の期間情報を参照して前記報知手段を少なくとも制御可能なものであり、前記第二の期間情報は、前記第一の期間情報とは異なるものである、ことを特徴とする遊技台である。
【手続補正３】
【補正対象書類名】明細書
【補正対象項目名】０４４８
【補正方法】変更
【補正の内容】
【０４４８】
本実施例１に係るパチンコ機１００によれば、遊技制御回路から指示された演出時間や、図柄の変動時間に一致するように演出データを選択できるため、状況に応じて最適な演出を行うことができることに加えて、演出データは複数種類の演出装置（例えば、ランプやスピーカ）を制御するための共通形式のデータであるため、当該データを参照する処理も演出装置の種類によらずに共通化を図ることができ、制御プログラムの容量削減や制御負担の軽減を実現することができる。また、共通形式のデータに基づいて演出制御を行うため、複数種類の演出装置間において演出の実行タイミングを合わせることが容易で、演出のズレによって遊技者に違和感を与えるような事態を未然に防止することができる場合がある。
また、本実施例に係る遊技台（例えば、パチンコ機１００）は、複数種類の演出手段を少なくとも制御可能な演出制御手段を備えた遊技台であって、前記演出制御手段は、ＣＰＵを少なくとも含んで構成されたものであり、前記演出制御手段は、期間情報記憶手段を少なくとも含んで構成されたものであり、前記演出制御手段は、制御情報記憶手段を少なくとも含んで構成されたものであり、前記期間情報記憶手段は、期間情報が少なくとも記憶されたものであり、前記制御情報記憶手段は、制御情報が少なくとも記憶されたものであり、前記期間情報は、前記複数種類の演出手段のそれぞれを制御する期間に関する情報を少なくとも含むものであり、前記期間情報は、前記複数種類の演出手段で共通の形式をしたものであり、前記制御情報は、前記複数種類の演出手段のそれぞれを制御する内容に関する情報を少なくとも含むものであり、前記制御情報は、前記複数種類の演出手段のそれぞれに少なくとも対応する形式をしたものであり、前記複数種類の演出手段のうちの少なくとも一つの前記演出手段は、報知手段であり、前記期間情報記憶手段は、前記報知手段に対応する期間情報セット（以下、第一の期間情報セットという。）が少なくとも記憶されたものであり、前記第一の期間情報セットは、複数の前記期間情報（以下、複数の期間情報という。）を少なくとも含んで構成されたものであり、前記複数の期間情報のうちの少なくとも一つの前記期間情報は、第一の期間情報であり、前記複数の期間情報のうちの少なくとも一つの前記期間情報は、第二の期間情報であり、前記演出制御手段は、第一の制御、第二の制御の順に少なくとも実行可能なものであり、前記第一の制御は、前記第一の期間情報を参照して前記報知手段を少なくとも制御可能なものであり、前記第二の制御は、前記第二の期間情報を参照して前記報知手段を少なくとも制御可能なものであり、前記第二の期間情報は、前記第一の期間情報とは異なるものである、ことを特徴とする遊技台である。
本実施例に係る遊技台によれば、演出手段の制御に使用するデータを、演出手段に依存しない共通データと、演出手段に依存する固有データに分けて管理することができる。このため、演出手段の仕様変更や演出手段の新規採用などが必要な場合でも、演出手段に依存しない共通データを流用しつつ、演出手段に依存する固有データのみを新たな演出手段に合わせて変更すればよく、演出手段の仕様変更や演出手段の新規採用などに柔軟に対応することができる場合がある。また、演出手段毎に設けられた期間情報セットから複数種類の期間情報を選択することができるため、制御部の制御負担を増加させることなく、演出手段に対する制御のバリエーションを増やすことができ、演出効果を高めることができる場合がある。